(57)【要約】【課題】携帯通信端末とこれに給電を行う外部装置との間の接続部分の防水を実現する。【解決手段】ジャケット１００は、ベース部材１０２を備える。ベース部材１０２は、携帯通信端末２００の接続部２０２を有する一面（押圧面２０８）に対向する。ベース部材１０２には、接続部２０２に接続する接続端子１０４が設けられている。また、ベース部材１０２には、弾性部材１０６が設けられている。弾性部材１０６は、平面視において、接続端子１０４を囲み、かつ、一端がベース部材１０２に固定され他端がベース部材１０２と反対側に延伸している。ジャケット１００は、携帯通信端末２００を固定するフック１０８をさらに備える。フック１０８によって携帯通信端末２００がジャケット１００に固定された状態において、接続端子１０４は接続部２０２に接触する。この状態において、押圧面２０８によって、弾性部材１０６が押圧される。【選択図】図２
2014082554.tif 000002
【特許請求の範囲】
【請求項１】
携帯通信端末に装着されるジャケットであって、
前記携帯通信端末に装着されるときに、前記携帯通信端末の接続部を有する一面に対向するベース部材と、
前記ベース部材に設けられ、かつ、前記携帯通信端末の前記接続部に接続する接続端子と、
平面視において前記接続端子を囲み、かつ、一端が前記ベース部材に固定され他端が前記ベース部材と反対側に延伸している弾性部材と、
前記携帯通信端末を固定するフックと、
を備え、
前記フックによって前記携帯通信端末が前記ジャケットに固定された状態において、
前記接続端子は、前記接続部と接触し、
前記携帯通信端末の前記一面によって、前記弾性部材が押圧されていることを特徴とするジャケット。
【請求項２】
請求項１に記載のジャケットであって、
前記ジャケットは、前記接続端子に接続する電池をさらに備えることを特徴とするジャケット。
【請求項３】
請求項２に記載のジャケットであって、
前記ベース部材内部に形成された中空部と、
前記ベース部材に設けられ、かつ、前記中空部を前記ベース部材の外部につなげる開口部と、をさらに備え、
前記弾性部材は、前記開口部を囲み、
前記接続端子は、前記中空部から前記開口部を介して露出していることを特徴とするジャケット。
【請求項４】
請求項３に記載のジャケットであって、
前記電池は、前記中空部内に設けられていることを特徴とするジャケット。
【請求項５】
請求項１から４までのいずれか一項に記載のジャケットであって、
前記接続端子を前記携帯通信端末の装着方向に付勢する付勢部をさらに備え、
前記接続端子は前記ベース部材から突出して設けられており、
前記接続端子の突出高さは、前記ジャケットが前記携帯通信端末に装着されていない状態における前記突出高さが、前記ジャケットが前記携帯通信端末に装着されている状態における前記突出高さよりも高いことを特徴とするジャケット。
【請求項６】
請求項１から５までのいずれか一項に記載のジャケットであって、
前記弾性部材は、ゴム、シリコンゲルまたはウレタンからなることを特徴とするジャケット。
【請求項７】
携帯通信端末と、前記携帯通信端末に装着されるジャケットと、を備えた携帯端末であって、
前記ジャケットは、
前記携帯通信端末に装着されるときに、前記携帯通信端末の接続部を有する一面に対向するベース部材と、
前記ベース部材に設けられ、かつ、前記携帯通信端末の接続部に接続する接続端子と、
平面視において前記接続端子を囲み、かつ、一端が前記ベース部材に固定され他端が前記ベース部材と反対側に延伸している弾性部材と、
前記携帯通信端末を固定するフックと、
を備え、
前記携帯通信端末が前記フックにより前記ジャケットに装着された状態において、
前記接続端子は、前記接続部と接触しており、
前記携帯通信端末の前記一面が、前記弾性部材を押圧していることを特徴とする携帯端末。
【発明の詳細な説明】
【技術分野】
【０００１】
本発明は、携帯通信端末用ジャケットおよびこれを備えた携帯端末に関する。
【背景技術】
【０００２】
スマートフォンをはじめとする多機能携帯通信端末においては、多機能化の反面、高消費電力の問題が生じている。この高消費電力の問題に対応すべく、外付けのバッテリーから携帯通信端末への給電を実現する構造が求められている。
【０００３】
例えば、特許文献１では、携帯端末の外側面部を被覆するカバー部と、当該カバー部が装着された携帯端末を立て掛ける台座と、からなるアダプタ装置が記載されている。当該アダプタ装置では、台座およびカバー部を介して携帯端末へ充電が行われる。
【０００４】
また、特許文献２では、携帯電話機に取着される保護カバーが記載されている。当該保護カバーは、携帯電話機の充電用端子に接続されるカバー側端子と、充電装置からの電磁誘導により交流電力を出力するコイルと、当該コイルから出力される交流電力を直流電力に変換する変換部と、を備える。当該保護カバーでは、充電装置から、コイル、変換部、カバー側端子を介して、携帯電話機への充電が実現される。
【０００５】
以上の高消費電力の問題に加えて、現在の携帯通信端末の分野においては、水中でも携帯通信端末が使用可能になる防水構造も求められている。
【０００６】
例えば、特許文献３では、タッチパネルが配置されたコンピュータに用いられる防水ケースが記載されている。当該防水ケースは、コンピュータを収容する収容空間と、収容されるコンピュータの表面のうちタッチパネルの外側に位置する領域と密着する密着部と、を備える。当該防水ケースでは、このような密着部により、収容空間への水の侵入が防がれる。
【先行技術文献】
【特許文献】
【０００７】
【特許文献１】実用新案登録第３１６８３８６号
【特許文献２】特開２００７−２４４１６５号公報
【特許文献３】実用新案登録第３１６９１４１号
【発明の概要】
【発明が解決しようとする課題】
【０００８】
現在の携帯通信端末においては、携帯通信端末に用いられるジャケットが端子を備える場合がある。本発明者は、このようなジャケットにおいては、端子部分にも防水性を持たせる必要があると考えた。
【課題を解決するための手段】
【０００９】
本発明によれば、
携帯通信端末に装着されるジャケットであって、
前記携帯通信端末に装着されるときに、前記携帯通信端末の接続部を有する一面に対向するベース部材と、
前記ベース部材に設けられ、かつ、前記携帯通信端末の前記接続部に接続する接続端子と、
平面視において前記接続端子を囲み、かつ、一端が前記ベース部材に固定され他端が前記ベース部材と反対側に延伸している弾性部材と、
前記携帯通信端末を固定するフックと、
を備え、
前記フックによって前記携帯通信端末が前記ジャケットに固定された状態において、
前記接続端子は、前記接続部と接触し、
前記携帯通信端末の前記一面によって、前記弾性部材が押圧されていることを特徴とするジャケットが提供される。
【００１０】
本発明によれば、
携帯通信端末と、前記携帯通信端末に装着されるジャケットと、を備えた携帯端末であって、
前記ジャケットは、
前記携帯通信端末に装着されるときに、前記携帯通信端末の接続部を有する一面に対向するベース部材と、
前記ベース部材に設けられ、かつ、前記携帯通信端末の接続部に接続する接続端子と、
平面視において前記接続端子を囲み、かつ、一端が前記ベース部材に固定され他端が前記ベース部材と反対側に延伸している弾性部材と、
前記携帯通信端末を固定するフックと、
を備え、
前記携帯通信端末が前記フックにより前記ジャケットに装着された状態において、
前記接続端子は、前記接続部と接触しており、
前記携帯通信端末の前記一面が、前記弾性部材を押圧していることを特徴とする携帯端末が提供される。
【発明の効果】
【００１１】
本発明によれば、接続端子および接続部を介してジャケットから携帯通信端末への給電を実現しつつ、弾性部材により当該接続端子および接続部の防水を実現する構造が提供される。
【図面の簡単な説明】
【００１２】
【図１】実施の形態におけるジャケットおよび携帯通信端末（装着前）を示す斜視図である。
【図２】図１のＡ−Ａ´断面図である。
【図３】実施の形態におけるジャケットおよび携帯通信端末（装着後）を示す斜視図である。
【図４】図３のＢ−Ｂ´断面図である。
【図５】図１の破線で囲んだ部分の拡大図である。
【発明を実施するための形態】
【００１３】
以下、実施の形態について、図面を用いて説明する。尚、すべての図面において、同様な構成要素には同様の符号を付し、適宜説明を省略する。
【００１４】
図１は、実施の形態におけるジャケット１００に携帯通信端末２００が装着される前の状態を示す斜視図である。図２は、図１のＡ−Ａ´断面図である。携帯通信端末２００は、ジャケット１００とともに用いられる。
【００１５】
図１および２に示すように、ジャケット１００は、ベース部材１０２を備える。ベース部材１０２は、携帯通信端末２００の接続部２０２を有する一面（押圧面２０８）に対向する。ベース部材１０２には、接続部２０２に接続する接続端子１０４が設けられている。また、ベース部材１０２には、弾性部材１０６が設けられている。弾性部材１０６は、平面視において、接続端子１０４を囲み、かつ、断面視において、一端がベース部材１０２に固定され他端がベース部材１０２と反対側に延伸している。ジャケット１００は、携帯通信端末２００を固定するフック１０８をさらに備える。
【００１６】
図３は、実施の形態におけるジャケット１００に携帯通信端末２００が装着された後の状態を示す斜視図である。図４は、図３のＢ−Ｂ´断面図である。
【００１７】
図３および４に示すように、フック１０８によって携帯通信端末２００がジャケット１００に固定された状態において、接続端子１０４は接続部２０２に接触する。また、この状態において、押圧面２０８によって、弾性部材１０６が押圧される。
【００１８】
以上の構成によって、接続端子１０４および接続部２０２を介してジャケット１００から携帯通信端末２００への給電が実現される。また、この給電の際、弾性部材１０６により接続端子１０４および接続部２００の防水が実現される。以下、実施の形態について詳細に説明する。
【００１９】
図１に示すように、ジャケット１００および携帯通信端末２００は、ともに矩形状の形状を有する。ジャケット１００は、矩形状の長辺の両側方にフック１０８を備える。携帯通信端末２００は、矩形状の長辺の両側方にフック係り部２０６を備える。図２および４に示すように、フック１０８の端部がフック係り部２０６に係ることで、携帯通信端末２００はジャケット１００に固定される。
【００２０】
図１に示すように、ジャケット１００は、平板上のベース部材１０２を備える。ベース部材１０２には、その中央からずれた位置に接続端子１０４および弾性部材１０６が設けられている。接続端子１０４は導電性の材料からなる。
【００２１】
弾性部材１０６は、平面視において、接続端子１０４を囲み、かつ、一端がベース部材１０２に固定され、他端がベース部材１０２と反対側に延伸している。弾性部材１０６を構成する材料としては、例えば、ゴム、シリコンゲルまたはウレタンを用いることができるが、弾性を有するものであれば、これらに限られない。
【００２２】
弾性部材１０６の形状を、図５を用いて詳細に説明する。図５は、図１の破線で囲んだ部分の拡大図である。図５に示すように、弾性部材１０６は、平面視において平行に並んだ直線状の部分１０６ａと、部分１０６ａの両端をつなぐ弧状の部分１０６ｂとからなる。
【００２３】
次に、ベース部材１０２の内部構造を、図２を用いて詳細に説明する。
【００２４】
図２に示すように、ベース部材１０２は、携帯通信端末２００が装着される側にベース表面１０２ａを備える。また、ベース部材１０２は、ベース表面１０２ａと対向する面にベース底面１０２ｂを備える。
【００２５】
図２に示すように、ベース部材１０２は、ベース表面１０２ａおよびベース底面１０２ｂによって囲まれた中空部１１０を備える。中空部１１０は、ベース表面１０２ａに形成された開口部１１２を介してジャケット１００外部につながっている。開口部１１２は、平面視において、弾性部材１０６によって囲まれている。なお、図２に示すように、弾性部材１０６は、少なくともその上部が上端に近づくにしたがって開口部１１２から離れる方向に拡径していてもよい。
【００２６】
図２に示すように、接続端子１０４は、中空部１１０から開口部１１２を介して露出している。接続端子１０４は、台座１１８に搭載された付勢部１１６と一体に形成されている。付勢部１１６は、接続端子１０４と同様、導電性の材料からなる。中空部１１０には、平面視においてベース部材１０２の中央側に、給電線１２０、台座１１８および付勢部１１６を介して接続端子１０４に接続する電池１１４がさらに設けられている。
【００２７】
付勢部１１６の形状を、図２を用いて詳細に説明する。図２に示すように、付勢部１１６は、ベース底面１０２ｂと略平行方向に延伸し、台座１１８に設置された部分１１６ａと、部分１１６ａに対して略直角に折曲している部分１１６ｂと、部分１１６ｂに対してベース底面１０２ｂ側に折曲し、接続端子１０４と一体となる部分１１６ｃと、からなる。付勢部１１６はこのような形状を有することにより、接続端子１０４を携帯通信端末１００の装着方向に付勢する。
【００２８】
携帯通信端末２００がジャケット１００に装着される態様を、図４を用いて詳細に説明する。
【００２９】
図４に示すように、携帯通信端末２００は、表示部２０４が設けられた面と反対側に押圧面２０８を備える。押圧面２０８には、携帯通信端末２００がジャケット１００に装着されるときに接続端子１０４と接触する位置に接続部２０２を備える。
【００３０】
図４に示すように、フック１０８の端部がフック係り部２０６に係ることで、携帯通信端末２００は、ジャケット１００に固定される。フック１０６によって携帯通信端末２００がジャケット１００に固定された状態において、弾性部材１０６が押圧面２０８によって押圧される。弾性部材１０６が押圧されることで、中空部１１０を含め、弾性部材１０６によって囲まれた内部の空間が強固に密閉される。これにより、強固な防水環境下において、接続端子１０４から接続部２０２への給電が実現される。
【００３１】
さらに、本実施形態においては、電池１１４が弾性部材１０６によって密閉された空間（中空部１１０）内に設けられている。このため、電池１１４の防水も可能となる。
【００３２】
さらに、本実施形態においては、図２に示すように、接続端子１０４は、ベース部材１０２表面（ベース表面１０２ａ）からｈ１の高さ突出している。一方で、携帯通信端末２００がジャケット１００に装着される場合は、付勢部１１６により、図４に示すように、接続端子１０４は、ベース部材１０２表面（ベース表面１０２ａ）からｈ２（ｈ１＞ｈ２）の高さ突出している。上述したように、接続端子１０４は付勢部１１６と一体に形成されている。このため、携帯通信端末２００がジャケット１００に装着される場合は、接続端子１０４と接続部２０２とが確実に接触することになる。
【００３３】
さらに、本実施形態においては、図２に示すように、弾性部材１０６は、少なくともその上部が上端に近づくにしたがって開口部１１２から離れる方向に拡径している。このため、弾性部材１０６が押圧された場合、弾性部材１０６は携帯通信端末２００の装着方向に押しつぶされることなく、外側方向に折れ曲がるような形状となる（図４）。結果、弾性部材１０６が垂直方向に押しつぶされるよりも、ベース表面１０２ａ方向における弾性部材１０６の延伸長さが大きくなる。したがって、弾性部材１０６によって囲まれた内部の空間が強固に密閉される。
【００３４】
以上、図面を参照して本発明の実施形態について述べたが、これらは本発明の例示であり、上記以外の様々な構成を採用することもできる。例えば、本発明は、以下の構成を適用することも可能である。
（１）
携帯通信端末に装着されるジャケットであって、
前記携帯通信端末に装着されるときに、前記携帯通信端末の接続部を有する一面に対向するベース部材と、
前記ベース部材に設けられ、かつ、前記携帯通信端末の前記接続部に接続する接続端子と、
平面視において前記接続端子を囲み、かつ、一端が前記ベース部材に固定され他端が前記ベース部材と反対側に延伸している弾性部材と、
前記携帯通信端末を固定するフックと、
を備え、
前記フックによって前記携帯通信端末が前記ジャケットに固定された状態において、
前記接続端子は、前記接続部と接触し、
前記携帯通信端末の前記一面によって、前記弾性部材が押圧されていることを特徴とするジャケット。
（２）
（１）に記載のジャケットであって、
前記ジャケットは、前記接続端子に接続する電池をさらに備えることを特徴とするジャケット。
（３）
（２）に記載のジャケットであって、
前記ベース部材内部に形成された中空部と、
前記ベース部材に設けられ、かつ、前記中空部を前記ベース部材の外部につなげる開口部と、をさらに備え、
前記弾性部材は、前記開口部を囲み、
前記接続端子は、前記中空部から前記開口部を介して露出していることを特徴とするジャケット。
（４）
（３）に記載のジャケットであって、
前記電池は、前記中空部内に設けられていることを特徴とするジャケット。
（５）
（１）から（４）までのいずれか一つに記載のジャケットであって、
前記接続端子を前記携帯通信端末の装着方向に付勢する付勢部をさらに備え、
前記接続端子は前記ベース部材から突出して設けられており、
前記接続端子の突出高さは、前記ジャケットが前記携帯通信端末に装着されていない状態における前記突出高さが、前記ジャケットが前記携帯通信端末に装着されている状態における前記突出高さよりも高いことを特徴とするジャケット。
（６）
（１）から（５）までのいずれか一つに記載のジャケットであって、
前記弾性部材は、ゴム、シリコンゲルまたはウレタンからなることを特徴とするジャケット。
（７）
携帯通信端末と、前記携帯通信端末に装着されるジャケットと、を備えた携帯端末であって、
前記ジャケットは、
前記携帯通信端末に装着されるときに、前記携帯通信端末の接続部を有する一面に対向するベース部材と、
前記ベース部材に設けられ、かつ、前記携帯通信端末の接続部に接続する接続端子と、
平面視において前記接続端子を囲み、かつ、一端が前記ベース部材に固定され他端が前記ベース部材と反対側に延伸している弾性部材と、
前記携帯通信端末を固定するフックと、
を備え、
前記携帯通信端末が前記フックにより前記ジャケットに装着された状態において、
前記接続端子は、前記接続部と接触しており、
前記携帯通信端末の前記一面が、前記弾性部材を押圧していることを特徴とする携帯端末。
（８）
（７）に記載の携帯端末であって、
前記ジャケットは、前記接続端子に接続する電池をさらに備えることを特徴とする携帯端末。
（９）
（８）に記載の携帯端末であって、
前記ベース部材内部に形成された中空部と、
前記ベース部材に設けられ、かつ、前記中空部を前記ベース部材の外部につなげる開口部と、をさらに備え、
前記弾性部材は、前記開口部を囲み、
前記接続端子は、前記中空部から前記開口部を介して露出していることを特徴とする携帯端末。
（１０）
（９）に記載の携帯端末であって、
前記電池は、前記中空部内に設けられていることを特徴とする携帯端末。
（１１）
（７）から（１０）までのいずれか一つに記載に携帯端末であって、
前記接続端子を前記携帯通信端末の装着方向に付勢する付勢部をさらに備え、
前記接続端子は前記ベース部材から突出して設けられており、
前記接続端子の突出高さは、前記ジャケットが前記携帯通信端末に装着されていない状態における前記突出高さが、前記ジャケットが前記携帯通信端末に装着されている状態における前記突出高さよりも高いことを特徴とする携帯端末。
（１２）
（７）から（１１）までのいずれか一つに記載の携帯端末であって、
前記弾性部材は、ゴム、シリコンゲルまたはウレタンからなることを特徴とする携帯端末。
【符号の説明】
【００３５】
１００  ジャケット
１０２  ベース部材
１０２ａ  ベース表面
１０２ｂ  ベース底面
１０４  接続端子
１０６  弾性部材
１０６ａ  部分
１０６ｂ  部分
１０８  フック
１１０  中空部
１１２  開口部
１１４  電池
１１６  付勢部
１１６ａ  部分
１１６ｂ  部分
１１６ｃ  部分
１１８  台座
１２０  給電線
２００  携帯通信端末
２０２  接続部
２０４  表示部
２０６  フック係り部
２０８  押圧面
【図１】
2014082554.tif 000003
【図２】
2014082554.tif 000004
【図３】
2014082554.tif 000005
【図４】
2014082554.tif 000006
【図５】
2014082554.tif 000007